(57)【特許請求の範囲】
【請求項１】
気球の付属部品である照明ランプ／サウンドデバイスにおいて、
照明ランプ／サウンドと、
バッテリーと、
前記照明ランプ／サウンドと前記バッテリーとを電気的に接続する電気回路と、
空気または他の気体を内へ注入させる気体の入口端、空気または他の気体を外へ排出させる気体の出口端、及び気体の入口端と気体の出口端を連通する気体流路を形成するケースと、
前記ケース内に収容され、前記電気回路のスイッチを構成する金属製の弾性機構と、
前記ケースに形成された気体流路内に移動可能に配置されたブラケットであって、前記気球に空気が導入されたときに前記弾性機構の付勢力に抗して当該弾性機構に当接することにより前記照明ランプ／サウンドを作動させるように前記電気回路を閉じるべく前記ケースと相対的に移動するとともに、前記気球から気体が排出されたときに前記弾性機構の付勢力によって前記照明ランプ／サウンドを停止するように前記電気回路を開くべく前記ケースと相対的に移動する前記ブラケットと、
前記ブラケットに取り付けられる密封装置であって、前記ブラケットが前記弾性機構の付勢力に抗して当接するときに前記気体流路を密閉するとともに前記ブラケットが前記弾性機構の付勢力によって移動するときに前記気体流路を開く前記密封装置と
を有することを特徴とする気球の照明ランプ／サウンドデバイス。
【請求項２】
請求項１に記載の気球の照明ランプ／サウンドデバイスにおいて、
前記密封装置はＯリング、シールリング、シールから任意に選択されるものの一つであることを特徴とする気球の照明ランプ／サウンドデバイス。
【請求項３】
請求項１に記載の気球の照明ランプ／サウンドデバイスにおいて、
前記密封装置は環状構造であり、且つ前記ブラケットの外壁は気体流路の中にあることを特徴とする気球の照明ランプ／サウンドデバイス。
【請求項４】
請求項１に記載の気球の照明ランプ／サウンドデバイスにおいて、
前記密封装置は、シールまたはシールリングであり、前記シールまたはシールリングは照明ランプ／サウンドの外縁に突出することを特徴とする気球の照明ランプ／サウンドデバイス。
【請求項５】
請求項１に記載の気球の照明ランプ／サウンドデバイスにおいて、
気体流路はくびれ部を形成し、前記くびれ部の周囲は傾斜壁を持ち、前記照明ランプ／サウンドの一つ端部はガスケットを有し、このガスケットは前記照明ランプ／サウンドの外縁に突出し、平坦な接触面を有し、且つガスケットは前記傾斜壁と接触して密封を形成できるように前記くびれ部の直径より大きいことを特徴とする気球の照明ランプ／サウンドデバイス。
【請求項６】
請求項４に記載の気球の照明ランプ／サウンドデバイスにおいて、
前記ケースは、中空構造であり、前記気体流路は照明ランプ／サウンドとケースとの間の隙間から構成されることを特徴とする気球の照明ランプ／サウンドデバイス。
【請求項７】
請求項１に記載の気球の照明ランプ／サウンドデバイスにおいて、
前記照明ランプ／サウンドデバイスは前記気球内に設置されるものであり、
当該気球の外壁に固定され、通気孔がある外側のカバーを備え、前記通気孔は、前記照明ランプ／サウンドの気体出口端と繋がる排気流路を形成し、
前記外側のカバーは、刺し通す装置を備え、この刺し通す装置はカスプを持ち、前記カスプは、気球壁に外側カバーが前記ケースと一緒に固定される時に、当該外側カバーを介して気球壁を刺し通し、前記排気流路を連通することを特徴とする気球の照明ランプ／サウンドデバイス。
【請求項８】
請求項１に記載の気球の照明ランプ／サウンドデバイスにおいて、
前記気体の入口端はトップリングを持ち、前記トップリングの中部は中空状で、且つ突出頂部を有し、前記突出頂部は両側壁を通ってトップリングに取り付けられていることを特徴とする気球の照明ランプ／サウンドデバイス。
【請求項９】
請求項１に記載の気球の照明ランプ／サウンドデバイスにおいて、
ランプ／サウンドは気体流路内に設置されて前記弾性機構に支持され、弾性機構は気体流路内に固定され、導電性を有し、照明ランプ／サウンドの制御回路をオンにすることができることを特徴とする気球の照明ランプ／サウンドデバイス。
【発明の詳細な説明】
【技術分野】
【０００１】
本発明は気球の付属部品である気球の照明ランプ／サウンドデバイスに関し、特に、このデバイスは、気球に気体を注入する場合に機能する。
【背景技術】
【０００２】
多くの場合、気球は生活装飾品で、通常の状況では、気体が注入された気球が環境を装飾する。
【０００３】
しかし、この使用方法はあまりにも単調で、人々の多様なニーズを満たすことができない。だから、人々は発光気球、照明気球、サウンド気球など様々な特殊効果を持つ気球を発明した。特許文献１は発光気球を開示している。この気球は照明効果を持ち、ＬＥＤライトを発光体としている。シリコン薄膜電池式発光回路装置は、気孔があるプラスチックケース内に設置される。発光気球の構造は簡単で、使い易く、プラスチックパイプソケットに適し、縄で結んで牽引することにも適し、空に浮遊させたり、夜景を飾りつけたりする。
特許文献２も一種の発光気球を開示している。この発光気球は照明装置を有する。円筒形のプラグ一体成形ラジアルはフランジ内まで延伸し、気球ネック内に挿入する。照明装置はプラグの気球ネック内に設置する。気球は通常に、ラテックス気球、アルミ気球やプラスチック気球であるため、発光気球またはサウンド気球の発光装置、サウンドデバイスの設置が重要な問題となる。特許文献２では、気球の吸気ノズルのネックを利用して照明装置を設置するが、この設置方式は気球の吹き込みと使用に影響し、不便である。だから人々は、照明／サウンドデバイスを気球内部に配置し、気球壁に固定する。
特許文献３は、気球内壁に固定する照明装置の構造が開示する。しかし、このような構造は、どうして気球内部の照明／サウンドデバイスの制御に問題が存在する。
【０００４】
特許文献４には、シールステッカーが記載される。シールステッカーは気球内部の照明／サウンドデバイスを制御するキー機構と呼ばれる。このシールステッカーは照明装置の回路を切断でき、引き出すと照明装置の回路をオンにする。これによって、照明／サウンドデバイスを制御する効果を実現する。このシールステッカーは照明／サウンドデバイスの回路に挿入されるため、加工と取付は不便で、加工の難度とコストを増加する。特に、シールステッカーを使用する時、引き出して廃棄すると、リソースの浪費をもたらしただけでなく、環境保護にも不利である。
【先行技術文献】
【特許文献】
【０００５】
【特許文献１】中国特許出願第２００６１０１２２５４１．７号
【特許文献２】米国特許第７３４４２６７号
【特許文献３】英国特許出願第２００７０００４５７５号
【特許文献４】欧州特許出願ＷＯ２０１１０２１０２２号
【発明の概要】
【０００６】
前記の問題に基づいて、本発明の目的は気球の照明ランプ／サウンドデバイスを提供することにある。このデバイスは気体を注入する時、照明ランプ／サウンドをスタートでき、気球の照明ランプ／サウンドの制御は便利で、気球の正常使用と気体注入にも影響しない。
【０００７】
本発明のもう一つ目的は気球の照明ランプ／サウンドデバイスを提供することにある。このデバイスの制御と構造は簡単で、実用的であり、気圧の原理を十分に利用して、照明ランプ／サウンドデバイスのスイッチ制御を行うことができ、環境に影響する廃棄物を産生せずに、資源を節約できる。
【課題を解決するための手段】
【０００８】
前記の目的を達成するため、本発明は、気球の付属部品である照明ランプ／サウンドデバイスにおいて、照明ランプ／サウンドと、バッテリーと、前記照明ランプ／サウンドと前記バッテリーとを電気的に接続する電気回路と、空気または他の気体を内へ注入させる気体の入口端、空気または他の気体を外へ排出させる気体の出口端、及び気体の入口端と気体の出口端を連通する気体流路を形成するケースと、前記ケース内に収容され、前記電気回路のスイッチを構成する金属製の弾性機構と、前記ケースに形成された気体流路内に移動可能に配置されたブラケットであって、前記気球に空気が導入されたときに前記弾性機構の付勢力に抗して当該弾性機構に当接することにより前記照明ランプ／サウンドを作動させるように前記電気回路を閉じるべく前記ケースと相対的に移動するとともに、前記気球から気体が排出されたときに前記弾性機構の付勢力によって前記照明ランプ／サウンドを停止するように前記電気回路を開くべく前記ケースと相対的に移動する前記ブラケットと、前記ブラケットに取り付けられる密封装置であって、前記ブラケットが前記弾性機構の付勢力に抗して当接するときに前記気体流路を密閉するとともに前記ブラケットが前記弾性機構の付勢力によって移動するときに前記気体流路を開く前記密封装置とを有することを特徴とする気球の照明ランプ／サウンドデバイスである。
【０００９】
気球に気体を注入しない場合には、照明ランプ／サウンドの回路をスタートすることができない。気球に気体を注入した後、内部が一定の気体圧力を持ち、圧力が気体流路内に圧力差を形成することによって、ブラケットが気体流路の外側端部まで移動させ、気体流路を密閉するように促す。気体流路を密閉する際に、照明ランプ／サウンドの回路をオンにし、照明ランプ／サウンドの作動を開始させる。
【００１０】
前記密封装置は、Ｏリング、シールリング、シールから任意に選択されるものの一つである。または照明ランプ／サウンドとケースの間に形成した配合機構で、例えば照明ランプ／サウンドの外表面とケースの間の緊密配合または嵌め合い機構、照明ランプ／サウンドとケースの間の留め機構とも気体流路を密封する効果が持ち、また、密封装置の一種形式と呼ぶことができる。
【００１１】
前記照明ランプ／サウンドは一つのサポートと固定ブラケットを持ち、このブラケットは少なくとも一つの断面から照明ランプ／サウンドを被覆し、照明ランプ／サウンドにこの断面にある一つの外壁を持たせる。
【００１２】
前記の外壁の上スリーブは、密封装置を有し、密封装置は環状構造で、且つ外壁は気体流路の中にある。
【００１３】
前記の密封装置に対応し、記載の気体流路は少なくとも一部分の円筒形構造があり、密封装置は気体流路の密封を容易にし、照明ランプ／サウンドの回路をオンにする効果を奏する。
【００１４】
より良い方法は、前記照明ランプ／サウンドの外部は、前記密封装置としてのシールまたはシールリングを持ち、シールまたはシールリングは照明ランプ／サウンドの外縁に突出し、気体流路と緊密に接触でき、気体流路を密封する効果を奏する。
【００１５】
前記の照明ランプ／サウンドの外縁に突出するシールまたはシールリングはその密封作用と外壁に設置された密封装置は同じである。
【００１６】
前記ケースの断面はＴ字型、Ｉ字型、台形と同じような形で、気体流路にくびれ部を形成し、前記くびれ部の周囲は傾斜壁を持ち、前記照明ランプ／サウンドの一つ端部はガスケットを有し、このガスケットは照明ランプ／サウンドの外縁に突出し、平坦な接触面を有し、且つガスケットは前記くびれ部の直径より大きい。この接触面は傾斜壁と接触して密封を形成でき、このように、ガスケットも気体流路を密封できる。
【００１７】
前記ケースは中空構造であり、前記気体流路は照明ランプ／サウンドとケースとの間の隙間から構成される。
【００１８】
前記照明ランプ／サウンドは気球内に設置されるものであり、外側のカバーに気球の内壁に固定され、外側のカバーは通気孔があり、通気孔は照明ランプ／サウンドの気体出口端と繋がり、気体流路を形成する。
【００１９】
さらに外側のカバー内の照明ランプ／サウンドと気球内壁の接触部は刺し通す装置を備える。この刺し通す装置はカスプを持ち、外側のカバーは照明ランプ／サウンドに固定された際、気球の内壁を刺し通することができる。
好ましくは、前記照明ランプ／サウンドデバイスは前記気球内に設置されるものであり、当該気球の外壁に固定され、通気孔がある外側のカバーを備え、前記通気孔は、前記照明ランプ／サウンドの気体出口端と繋がる排気流路を形成し、前記外側のカバーは、刺し通す装置を備え、この刺し通す装置はカスプを持ち、前記カスプは、気球壁に外側カバーが前記ケースと一緒に固定される時に、当該外側カバーを介して気球壁を刺し通し、前記排気流路を連通する。
【００２０】
前記気体の入口端はトップリングを持ち、前記トップリングの中部は中空状で、且つ突出頂部を有し、前記突出頂部は両側壁を通ってトップリングに取り付けられている。この態様では、トップリングによって、照明ランプ／サウンドに移動させ、気体流路を露出して排気できる。
【００２１】
前記弾性機構は気体流路内に固定されている。
前記弾性機構の一般的な態様は、金属ばね、金属スプリングマットである。
前記照明ランプ／サウンドデバイスのケースは気体の入口端に延伸部がある。その場合、延伸部は外へ伸び出し、気体を注入する時の吹き込みに便利である。
【００２２】
照明ランプ／サウンドデバイスは気球のノズル部に取り付け、縛るまたは固定することができる。照明デバイスも気球のノズル部以外の任意の部位に取り付け、気球壁に固定することができる。この二種方式も本発明を実現できる。気球と照明ランプ／サウンドデバイスの固定方式は例えばＯリング、縄、ゴムバンドで縛ることである。また、油圧プレスフィット方式で気球を照明／サウンドデバイスにプレスフィットし、または接着剤で気球を照明／サウンドデバイスに固定することができる。
【００２３】
本発明の構造は気球内部の圧力を利用して、照明／サウンドデバイスを作動でき、照明／サウンドデバイスの制御はより簡単で、信頼できる。
【００２４】
本発明の照明／サウンドデバイスは気球内部やノイズの部位に設置して使用できる。使用が便利であり、追加の制御機構がない。環境に汚染する廃棄物を産生せず、より環境に優しく、省エネである。
【図面の簡単な説明】
【００２５】
【図１】本発明の第１実施形態の分解構造見取図である。
【図２】第１実施形態に係る気体注入前の構造見取図である。
【図３】第１実施形態に係る気体注入後の照明ランプ点灯見取図である。
【図４】本発明の第２実施形態の構造見取図である。
【図５】第２実施形態に係る気体注入前の構造見取図である。
【図６】第２実施形態に係る気体注入後の照明ランプ点灯見取図である。
【図７】本発明の第３実施形態の構造見取図である。
【図８】第３実施形態に係る気体注入前の構造見取図である。
【図９】第３実施形態に係る気体注入後の照明ランプ点灯見取図である。
【発明を実施するための形態】
【００２６】
本発明の技術的解決策および利点をより明確に理解するため、付図及び実施形態でより詳細に説明する。なお、本明細書に記載の特定実施形態は本発明を例示するために過ぎず、本発明を限定するものではないことを理解すべきである。
【００２７】
図１は本発明の第１実施形態で、この実施形態は、照明装置である。図の照明装置は、ＬＥＤランプ１、ブラケット３、ボタン電池４とケース５からなり、その中に、ＬＥＤランプ１の後端から二枚の接触片が伸び出し、一枚の接触片１１は直接にＬＥＤランプ１とボタン電池４の間に接続し、もう一枚の接触片１２は外へ曲がって、ブラケット３の外壁に沿ってボタン電池４の後部まで延び、内へ曲がって、一つの曲がった部分１３を形成する。この曲がった部分１３はボタン電池４の後部と合わせられ、コイルばね７２でボタン電池４に接続する電気回路を形成し、ＬＥＤランプ１を点灯する効果を奏する。
【００２８】
ボタン電池４は通常、１〜４個（図の示すように、２個だが、他の実施形態は、ボタン電池の数を制限しない）を持ち、ＬＥＤランプ１と一緒にブラケット３内に設置され、ブラケット３に固定されて支持される。ブラケット３の外部にはケース５がある。ケース５は中空構造で、その両端は気体の入口端５１と出口端５２で、ケース５とブラケット３の隙間は気体流路６を構成する。その中に、気体の入口端５１の内側は内へ向ける傾斜壁５３がある。同時にブラケット３の外壁に固定された環状のシール２があり、シール２はブラケットの外部から突出し、より緊密に傾斜壁５３上に挟まることができ、気体流路６を密封する効果を奏する。
【００２９】
この照明装置を気球壁に固定するため、ケース５は外側カバー８とともに固定される。具体的には、ケース５の上部外壁は、突起状の外側ねじ山５４を有するとともに外側カバー８の内壁には内側ねじ山８２があり、内側ねじ山８２と外側ねじ山５４を咬合することによって、ケース５に外側カバー８が固定され、両者を気球壁に固定させる（内側ねじ山８２と外側ねじ山５４も凹部の形態を採用でき、同じ効果を持つことができる）。
【００３０】
気球の気体流路６は排気流路を有する必要があるから、外側カバー８は気球壁とケース５を一緒に固定してから、気体の排出を容易にするために、気球壁を刺し通す必要がある。従って、外側カバー８は中央孔８１を有し、外側カバー８とケース５の間に刺し通すカバー７を設け、刺し通すカバー７は環状カバーで（刺し通すカバー７は気球壁を刺し通す限り、必ずしも環状ではなくてもよい）、その中央には突出のカスプ７１がある。カスプ７１は中央孔８１に合わされる。外側カバー８を気球壁と一緒にケース５に固定する時、外側カバー８をしっかりと押し下げる。外側カバー８は内へ凹んで、カスプ７１は中央孔８１の中に延び込み、気球壁を刺し通し、それにより、排気流路を形成する。
【００３１】
刺し通すカバー７にはコイルばね７２が覆う。コイルばね７２は金属製で、接触片１２の曲がった部分１３とボタン電池４の接続に使用する。
【００３２】
他の実施形態では、刺し通すカバー７を設けなくてもよい。その場合、直接にコイルばね７２をケース５に固定し、外部から刺し通す方式で気球を刺し通し、排気流路を形成する。
【００３３】
図２および図３のように、照明装置は、気球９の内部に取り付けられ、気球壁に固定される。気球９に気体を注入し、気球ノズル９１端が吸気し始める際、気球９内の圧力はとても小さく、気球内外の圧力差を無視できる。気球内の圧力が一定の程度に達している時、気球内外は十分な圧力差を持ち、気体は矢印方向に沿って、気体流路６から排出される。気体が排出された時、ブラケット３が気体流路６内に設置されているため、気体はブラケット３を推し進める。ブラケット３は、気体流路６に沿って外へ滑り、ブラケット３にあるシール２が傾斜壁５３に接触する。シール２と傾斜壁５３とが緊密に接触する時、気体流路６が密封され、気体を気球９の外へ排出させないようにすることができる。
【００３４】
ケース５にある金属のコイルばね７２は移動しないから、ブラケット３が外へ滑る過程で金属のコイルばね７２はボタン電池４に突き上げられ、コイルばね７２は圧縮する。同時にボタン電池４に接触片１２が接触し、後へ曲がった部分１３を伸び出し、回路をオンにし、ＬＥＤランプ１を点灯する効果を奏する。
【００３５】
気球９から気体を排出すれば、気球９内外の圧力差は無くなり、コイルばね７２は自動的にリセットし、ボタン電池４とブラケット３をポップアップする。コイルばね７２はボタン電池と接触片１２が後へ伸び出した曲がった部分１３と接触しなくなり、回路をオフにし、ＬＥＤランプ１が消灯する。
【００３６】
このように、気球の内圧の作用により、照明装置に点灯させる一方、気球内部の圧力が無くなると、照明装置が点灯しなくなるという良好な使用効果を奏する。そして他の制御機構が開閉する必要はなく、使用と制御が便利である。
【００３７】
図４−図６は第２実施形態である。図４は、この実施形態の照明装置で、図の照明装置は、ＬＥＤランプ１１０、ブラケット１３０、ボタン電池１４０とケース１５０からなる。
【００３８】
同様に、ＬＥＤランプ１１０の後端から二枚の接触片が伸び出し、一枚の接触片１１１は直接にＬＥＤランプ１１０とボタン電池１４０の間に接続し、もう一枚の接触片１１２は外へ曲がって、ブラケット１３０の外壁に沿ってボタン電池１４０の後部まで伸びる。
【００３９】
ボタン電池１４０は通常、１〜４個（図の示すように、２個だが、他の実施形態は、ボタン電池の数を制限しない）を持ち、ＬＥＤランプ１１０と一緒にブラケット１３０内に設置され、ブラケット１３０に固定されて支持される。ブラケット１３０の外部にはケース１５０がある。ケース１５０は中空構造で、その両端は気体の入口端と出口端で、ケース１５０とブラケット１３０の隙間は気体流路１６０を構成する。その中に、気体の出口端の内側は内へ向く傾斜壁１５１がある。同時にブラケット１３０の外壁に固定された環状のシール１２０があり、シール１２０はブラケット１３０の外部から突出し、より緊密に傾斜壁１５１上に挟まることができ、気体流路１６０を密封する効果を奏する。
【００４０】
この実施形態は、従来の使用方式の照明装置を気球ノズルの内部に設置している。ケース１５０の途中部は二つの突起１５２、１５４を持ち、突起１５２と１５４の間に環状溝１５３を形成し、気球と照明装置とを固定するＯリング１９１が環状溝１５３に設置され、照明装置を気球１９０のノズル１９２に固定している。本発明の照明装置は気球ノズル内に放置でき、気球の正常使用に影響しない。気球の気体を注入してから、気球棒または他の付属品に縛ることができる。
【００４１】
気体流路１６０内では、一つ金属のコイルばね１７０（金属スプリングマットで金属のコイルばねに代えることもできる）を弾性機構として持ち、接触片１１２とボタン電池１４０を接続する電気回路に使用する。金属のコイルばね１７０の外端は一つトップリング１８０を持ち、トップリング１８０をケース１５０の内壁に固定し、金属のコイルばね１７０の位置決めに使用する。トップリング１８０は環状構造で、中央に突出頂部１８１を持つ。突出頂部１８１は側壁１８２を通ってトップリング１８０に固定される。
【００４２】
トップリング１８０は金属のコイルばね１７０の位置決めに使用し、突出頂部１８１は主に金属のコイルばね１７０の突き上げに使用する。しかし、突出頂部１８１にはもう一つ作用があり、それは突出頂部１８１で抑えつけることによって、ボタン電池１４０とブラケット１３０を突き上げ、気球内へ移動させ、気体を排出することである。
【００４３】
図５および図６のように、気球１９０は気体を注入する時、気体は矢印の方向に沿って、気球１９０内に進入する。気体を進入し始めるとき、気球１９０内の圧力はとても小さく、気球内外の圧力差は無視できる。気球内の圧力が一定の程度に達している時、気球内外は十分な圧力差を持つので、圧力がバランスするように、気球内の気体が気体流路１６０から排出する。
【００４４】
気体が排出された時、ブラケット１３０が気体流路１６０内に設置されているため、気体はブラケット１３０を推し進める。ブラケット１３０は、気体流路１６０に沿って外へ滑り、ブラケット１３０にあるシール１２０が傾斜壁１５１に接触する。シール１２０と傾斜壁１５１とが緊密に接触する時、気体流路１６０が密封され、気体を気球１９０の外へ排出させないようにすることができる。
【００４５】
この時、内圧の作用により、ブラケット１３０は外へ滑り、変位を行う一方、金属のコイルばね１７０はボタン電池１４０に突き上げられ、コイルばね１７０は圧縮する。同時にボタン電池１４０に接触片１１２が接触し、これによって、回路をオンにし、ＬＥＤランプ１１０を点灯する効果を奏する。
【００４６】
気体を注入してから、内側へ突出頂部１８１を押して気球１９０の気体を排出し、気球１９０内外の圧力差は０になる時、コイルばね１７０は自動的にリセットし、ボタン電池１４０とブラケット１３０をポップアップする。コイルばね１７０はボタン電池１４０と接触片１１２を接触しなくなり、回路をオフにし、ＬＥＤランプ１１０が消灯する。この実施形態では照明装置を気球ノズル１９２内に設置し、Ｏリング１９１で固定し、気球ノズル１９２の外側はやはり柔らかい気球壁構造である。気体を注入する時は、従来の方式で気体を注入でき、例えば口で気体を吹き、または工具で気体を注入する。気体を注入した後、気球ノズル１９２を縛り、または自身にバックルに巻かれる。気体の密封を生成し、それからこの気球を掛けて、またはステッカーで壁に貼り付け、または気球棒に掛け、娯楽に使用する。
【００４７】
図７−図９は第３実施形態である。図７は、この実施形態の照明装置で、図の照明装置は、ＬＥＤランプ２１０、ブラケット２３０、ボタン電池２４０とケース２５０からなる。
【００４８】
同様に、ＬＥＤランプ２１０の後端から二枚の接触片が伸び出し、一枚の接触片２１１は直接にＬＥＤランプ２１０とボタン電池２４０の間に接続し、もう一枚の接触片２１２は外へ曲がって、ブラケット２３０の外壁に沿ってボタン電池２４０の後部まで伸びる。
【００４９】
ボタン電池２４０は通常、１〜４個（図の示すように、２個だが、他の実施形態は、ボタン電池の数を制限しない）を持ち、ＬＥＤランプ２１０と一緒にブラケット２３０内に設置され、ブラケット２３０に固定されて支持される。ブラケット２３０の外部にはケース２５０がある。ケース２５０は中空構造で、その両端は気体の入口端と出口端で、ケース２５０とブラケット２３０の隙間は気体流路２６０を構成する。その中に、気体の出口端の内側は内へ向く傾斜壁２５１がある。同時にブラケット２３０の外壁に固定された環状のシール２２０があり、シール２２０はブラケット２３０の外部から突出し、より緊密に傾斜壁２５１上に挟まることができ、気体流路２６０を密封する効果を奏する。
【００５０】
この実施形態は図４の記述方式と同じく、従来の使用方式の照明装置を気球ノズルの部位に設置している。ケース２５０はまず延伸部２５２を持つ。延伸部２５２の後端は二つ突出の突起２５４を持つ。延伸部２５２の外端は手持ち易い。延伸部２５２は一つの突環２５３を持つ。突環２５３は縄の縛りに使用され、気球を結び引っ張られる。またはほかの物品に縛られる。
【００５１】
気体流路２６０内では、一つ金属のコイルばね２７０を持ち、接触片２１２とボタン電池２４０を接続する電気回路に使用する。金属のコイルばね２７０の外端は一つトップリング２８０を持ち、トップリング２８０をケース２５０の内壁に固定する。トップリング２８０は環状構造で、中央に突出頂部２８１を持つ。突出頂部２８１は側壁２８２を通ってトップリング２８０に固定する。
【００５２】
突出頂部２８１は主に金属のコイルばね２７０の突き上げに使用する。しかし、突出頂部２８１にはもう一つ作用があり、それは突出頂部２８１で抑えつけることによって、ボタン電池２４０とブラケット２３０を突き上げ、気球内へ移動させ、気体を排出することである。
【００５３】
図８と図９のように、気球２９０は本発明の照明装置と併用される時、気球ノズル２９１で突起２５４の外を覆い、同時にシール２９２を二つ突起２５４の間に設置する。こうすれば気球２９０をしっかり照明装置に固定できる。
【００５４】
気球２９０に気体を注入する時、図８のように、気体は矢印の方向に沿って、気球２９０内に進入する。気体が進入し始めるとき、気球２９０内の圧力はとても小さく、気球内外の圧力差は無視できる。気球内の圧力が一定の程度に達している時、気球内外は十分な圧力差を持つので、圧力がバランスするように、気球内の気体が気体流路２６０から排出する。
【００５５】
気体が排出された時、図９のように、ブラケット２３０が気体流路２６０内に設置されているため、気体はブラケット２３０を推し進める。ブラケット２３０は、気体流路２６０に沿って外へ滑り、ブラケット２３０にあるシール２２０が傾斜壁２５１に接触する。シール２２０と傾斜壁２５１とが緊密に接触する時、気体流路２６０が密封され、気体を気球２９０の外へ排出させないようにすることができる。
【００５６】
この時、内圧の作用により、ブラケット２３０は外へ滑り、変位を行う一方、金属のコイルばね２７０はボタン電池２４０に突き上げられ、コイルばね２７０は圧縮する。同時にボタン電池２４０に接触片２１２が接触し、これによって、回路をオンにし、ＬＥＤランプ２１０を点灯する効果を奏する。
【００５７】
内側へ突出頂部２８１を押して気球２９０の気体を排出し、気球２９０内外の圧力差は０になる時、コイルばね２７０は自動的にリセットし、ボタン電池２４０とブラケット２３０をポップアップする。コイルばね２７０はボタン電池２４０と接触片２１２を接触しなり、回路をオフにし、ＬＥＤランプ２１０は消灯する。
【００５８】
上述は本発明の好適な実施形態だけであり、本発明を限定するものではない。本発明の趣旨及び範囲を逸脱することなく実施された、何れの修正、同一入れ替え及び改良等は、すべて本発明の保護範囲に属する。
【図１】
0005969629.tif 000002
【図２】
0005969629.tif 000003
【図３】
0005969629.tif 000004
【図４】
0005969629.tif 000005
【図５】
0005969629.tif 000006
【図６】
0005969629.tif 000007
【図７】
0005969629.tif 000008
【図８】
0005969629.tif 000009
【図９】
0005969629.tif 000010